(57)【要約】【課題】掃除残りを低減した床ブラシを提供する。【解決手段】ケース体11に回転可能に設けた回転体22を回転させるモータ21を設ける。回転体22との接触により回転駆動して床面の塵埃を掃除する回転ブラシ23をケース体11に回転可能に設ける。回転ブラシ23の軸方向の両端部側方にモータ21の動力を回転ブラシ23へと伝達する機構を要さず、回転ブラシ23をケース体11の略全幅に亘って形成でき、掃除残りを低減できる。【選択図】図１
2009153876.tif 000002
【特許請求の範囲】
【請求項１】
吸込口体本体と、
この吸込口体本体に回転可能に設けられた回転体と、
この回転体を回転させる駆動手段と、
前記吸込口体本体の略全幅に亘る軸寸法を有し、前記吸込口体本体に両端部が回転可能に軸支され、前記回転体との接触により回転駆動されて被掃除面の塵埃を掃除する回転清掃体と
を具備したことを特徴とした吸込口体。
【請求項２】
回転体は、被掃除面の塵埃を掃除する補助回転清掃体である
ことを特徴とした請求項１記載の吸込口体。
【請求項３】
回転清掃体は、
両端部が吸込口体本体に軸支された軸部と、
この軸部の外周部から突出した第１清掃部材と、
この第１清掃部材よりも硬質に設けられ、前記軸部の外周部から前記第１清掃部材の突出量よりも小さい突出量で突出し、回転体に接触する第２清掃部材とを備えている
ことを特徴とした請求項１または２記載の吸込口体。
【請求項４】
電動送風機を収容した掃除機本体と、
前記電動送風機の吸込側に連通して前記掃除機本体に接続される請求項１ないし３いずれか一記載の吸込口体と
を具備したことを特徴とした電気掃除機。
【発明の詳細な説明】
【技術分野】
【０００１】
本発明は、被掃除面の塵埃を掃除する回転清掃体を有する吸込口体およびこれを備えた電気掃除機に関する。
【背景技術】
【０００２】
従来、この種の電気掃除機は、電動送風機を収容した掃除機本体を備えている。この掃除機本体には、電動送風機の吸込側に連通して集塵部が設けられ、この集塵部は、掃除機本体に開口された本体吸込口を介して掃除機本体の外部と連通している。この本体吸込口には、ホース体、延長管および吸込口体としての床ブラシが順次連通接続される。そして、床ブラシは、吸込口体本体としての横長のケース体を有している。このケース体の被掃除面すなわち床面に対向する下面には、横長の吸込口が開口形成されている。さらに、この吸込口には、この吸込口の両端部の軸受部に回転可能に軸支された軸状の回転清掃体である回転ブラシが複数設けられている。これら回転ブラシは、ケース体内に配置された駆動手段であるモータの回転などにより周方向にそれぞれ回転されることで、床面に付着した塵埃などを床面から掻き取る(例えば、特許文献１および２参照。)。
【特許文献１】特開２００２−２１９０８０号公報(第３頁、図２および図５)
【特許文献２】特開２００６−３４０８２７号公報(第４頁、図１−２)
【発明の開示】
【発明が解決しようとする課題】
【０００３】
しかしながら、モータにより回転ブラシを回転させる際には、モータの回転軸に対して回転ブラシ側をギヤやベルトなどで接続する必要がある。このため、上述の床ブラシでは、このような接続部分が回転ブラシの軸方向の両端側に形成されることから、回転ブラシの軸方向の両端のさらに側方の位置に床面の塵埃を吸い込んだり除去したりすることができない部分が生じ、掃除残りを招くという問題点を有している。
【０００４】
本発明は、このような点に鑑みなされたもので、掃除残りを低減した吸込口体およびこれを備えた電気掃除機を提供することを目的とする。
【課題を解決するための手段】
【０００５】
本発明は、吸込口体本体に回転可能に設けられた回転体を回転させる駆動手段と、吸込口体本体の略全幅に亘る軸寸法を有し、吸込口体本体に両端部が回転可能に軸支され、回転体との接触により回転駆動されて被掃除面の塵埃を掃除する回転清掃体とを具備したものである。
【発明の効果】
【０００６】
本発明によれば、駆動手段により回転させた回転体を接触させることで回転清掃体を回転させることにより、回転清掃体の軸方向の両端部側方に駆動手段の動力を回転清掃体へと伝達する機構を要さず、回転清掃体を吸込口体本体の略全幅に亘って形成でき、掃除残りを低減できる。
【発明を実施するための最良の形態】
【０００７】
以下、本発明の第１の実施の形態の構成を図１ないし図３を参照して説明する。
【０００８】
図３において、１は掃除機本体で、この掃除機本体１は、内部に収容された電動送風機２の駆動にて生じる吸気風とともに吸い込んだ塵埃を、集塵部に捕集するものである。
【０００９】
また、この掃除機本体１には、電動送風機２の動作を制御する制御手段としての図示しない制御回路が収容されているとともに、外部から空気を吸引する本体吸込口３が前部に開口されている。この本体吸込口３には、可撓性を有し湾曲可能な細長略円筒状のホース体４が連通接続されている。このホース体４の先端には、電動送風機２の動作モードなどが選択可能な手元操作部５が設けられている。この手元操作部５には、掃除する際に作業者が把持する把持部６が基端側に向けて突設され、この把持部６には、制御回路に所定の信号を送信して掃除機本体１内の電動送風機２などを複数の動作モードに設定する複数の設定ボタン７が設けられている。
【００１０】
さらに、手元操作部５の先端には、伸縮可能な細長略円筒状の延長管８が着脱可能に連通接続されている。すなわち、延長管８は、ホース体４を介して電動送風機２の吸込側に連通接続されている。また、この延長管８の先端には、例えば室内の被掃除面としての床面Ｆの絨毯などの上に載置させて、この絨毯上の塵埃を吸い込む吸込口体としての床ブラシ９が着脱可能に連通接続されている。したがって、床ブラシ９は、延長管８、ホース体４および本体吸込口３を介して、電動送風機２の吸込側に連通接続される。
【００１１】
そして、床ブラシ９は、図１および図２に示すように、吸込口体本体としての横長のケース体11と、このケース体11の後部に設けられた接続管12とを備えている。
【００１２】
ケース体11は、前端部に横長の吸込口15が切り欠き形成され上側が開放された下ケース16と、この下ケース16の上部の後側を覆い、下ケース16との間で接続管12を回転可能に挟持する上ケース17と、この上ケース17の前部に吸込口15と連通して形成された前側吸込口18を覆うケース部材としての前蓋である前カバー19とを備えている。さらに、このケース体11内には、駆動手段としての電動部である駆動源、すなわちモータ21と、このモータ21により回転されるトルク伝達体である回転体22と、この回転体22との接触により回転される回転清掃体としての回転ブラシ23とがそれぞれ設けられている。
【００１３】
吸込口15は、ケース体11(下ケース16)の左右幅略全域、すなわち略全幅に亘って連続した横長形状に形成されている。換言すれば、吸込口15は、ケース体11の幅寸法と略等しい幅寸法に設定されている
なお、以下、本実施の形態において、略全幅とは、全幅、および僅かに全幅よりも狭い状態を含むものとする。
【００１４】
下ケース16は、後部の中央部に、後側へと突出した突出部25が設けられ、この突出部25の先端部に切り欠き形成された凹部26に、後車輪27が回転自在に軸支されている。また、この下ケース16の下面には、起毛布などにより形成され床面Ｆ上の塵埃を拭き取る拭取部材28が吸込口15の後方の一側に設けられている。
【００１５】
前側吸込口18は、ケース体11の前部全幅に亘って横長に形成されている。
【００１６】
前カバー19は、側面視で前側に凸となるように湾曲したカバー本体31と、このカバー本体31の下端部から突出した可撓部32とを備えている。そして、この前カバー19は、回転ブラシ23の前側上方を覆っている。
【００１７】
カバー本体31は、上端部が前側吸込口18の上端部に前後方向に回動可能に軸支された軸支部31aとなっている。この軸支部31aは、図示しない付勢手段であるトーションばねなどにより前方に向けて回動するように付勢されている。
【００１８】
可撓部32は、可撓性を有するゴムなどにより形成され、先端部が床面Ｆに対して離間されている。
【００１９】
モータ21は、ケース体11の左右方向に沿って、このケース体11の吸込口15よりも後方である後部寄りに配設され、モータ回転軸21aの先端部に取り付けられた出力プーリ35に駆動伝達手段としてのベルト36が巻き掛けられ、このベルト36が回転体22側にも巻き掛けられていることにより、モータ21の回転によって回転体22が回転されるように構成されている。また、このモータ21は、ケース体11の内部に収容された図示しない駆動手段制御部としての図示しないモータ制御回路を介して駆動が制御されている。このモータ制御回路は、設定ボタン７および掃除機本体１側にそれぞれ電気的に接続され、設定ボタン７による動作設定に対応してモータ21の回転のオン／オフ、すなわちモータ21の駆動を制御可能となっている。
【００２０】
回転体22は、長尺状の軸体である回転体回転軸41と、この回転体回転軸41に設けられた複数、例えば４つの清掃部材42とを備え、回転体回転軸41の両端部にプーリ43がそれぞれ取り付けられているとともに、これらプーリ43が軸受44によりそれぞれケース体11に対して回転可能に軸支されている。また、回転体22は、回転ブラシ23の上方でかつ若干後方に位置し、例えば回転体回転軸41の中心が前側吸込口18の上端部よりも上側に位置している。したがって、回転体22は、上ケース17の前側の下面に対向する位置に配置されている。
【００２１】
回転体回転軸41は、例えば金属、あるいは合成樹脂などにより形成されている。
【００２２】
各清掃部材42は、例えば可撓性を有するブラシ毛42aを多数植毛して構成され、回転体回転軸41に対して径方向に突出するとともに、この回転体回転軸41の軸方向に壁状に連続して形成されている。また、各清掃部材42は、回転体回転軸41の周方向に互いに略等角度に離間されている。さらに、各清掃部材42の回転体回転軸41からの突出量は、それぞれ略等しい。このため、各清掃部材42は、回転体22の回転により先端部が側面視で回転体回転軸41を中心とする仮想円である回転軌道C1上を回転するように構成されている。
【００２３】
なお、本実施の形態において、各清掃部材42は、周方向に所定角度、例えば１８０°捻られているものの、回転体回転軸41に沿って直線状に配置して周方向に捻らないように形成してもよい。また、各清掃部材42は、回転体回転軸41と別体に形成してこの回転体回転軸41に取り付けてもよいし、この回転体回転軸41と一体的に形成してもよい。
【００２４】
各プーリ43は、回転体回転軸41の両端部に一体的に取り付けられており、一方のプーリ43(図１中の右側のプーリ43)の外周面には、上記ベルト36が巻き掛けられる図示しないギヤ部が形成されている。
【００２５】
軸受44は、ケース体11内の吸込口15の前後方向の中心後側の上方にて上ケース17の下面から下方に突出して形成されている。
【００２６】
回転ブラシ23は、長尺状の軸部としてのブラシ台47と、このブラシ台47に設けられた複数、例えば２つの第１清掃部材としての拭取部材であるブラシ部材48および複数、例えば２つの第２清掃部材としての掻出部材であるブレード部材49とを備え、ブラシ台47の両端部が、軸受50によりそれぞれケース体11に対して回転可能に軸支されている。
【００２７】
ブラシ台47は、例えば金属、あるいは合成樹脂などにより形成されている。また、このブラシ台47は、吸込口15の幅寸法よりも大きくケース体11(下ケース16)の略全幅に亘る長さに形成されている。すなわち、このブラシ台47は、回転体回転軸41よりも軸方向寸法が大きく設定されている。
【００２８】
各ブラシ部材48は、例えばフローリングなどの床面Ｆを掃除するためのもので、軟質の合成樹脂により形成された多数のブラシ毛48aを植毛して構成され、ブラシ台47から径方向に突出し、かつ、ブラシ台47の軸方向に連続した壁状に形成されている。また、各ブラシ部材48は、回転ブラシ23の回転により先端部が側面視でブラシ台47を中心とする仮想円である回転軌道C2上を回転するように構成されている。
【００２９】
各ブレード部材49は、例えば絨毯などの床面Ｆを掃除するためのもので、ブラシ部材48よりも硬質で可撓性を有する合成樹脂などにより構成されており、ブラシ台47から径方向に突出し、かつ、ブラシ台47の軸方向に連続した壁状に形成されている。また、各ブレード部材49は、回転ブラシ23の回転により先端部が側面視で回転軌道C2と同心の回転軌道C3上を回転するように構成されている。ここで、ブレード部材49は、ブラシ台47からの突出量がブラシ部材48よりも小さく設定されている。従って、回転軌道C3は回転軌道C2よりも径が小さい。
【００３０】
そして、ブラシ部材48とブレード部材49とは、ブラシ台47の周方向に交互に配置され、周方向に互いに略等角度に離間されている。
【００３１】
なお、本実施の形態において、各部材48，49は、それぞれ周方向に所定角度、例えば１８０°捻られているものの、ブラシ台47に沿って直線状に配置して周方向に捻らないように形成してもよい。また、各部材48，49は、ブラシ台47と別体に形成してこのブラシ台47に取り付けてもよいし、このブラシ台47と一体的に形成してもよい。
【００３２】
各軸受50は、下ケース16の吸込口15とこの吸込口15の両側部との間に形成された吸込口側板部としての僅かな幅部53に対応する位置に設けられ、これら軸受50にブラシ台47の両端部が軸支された状態で、回転ブラシ23は、吸込口15に臨んで、すなわち吸込口15から露出して位置し、各ブラシ部材48の先端側が吸込口15の開口面よりも外方に突出するとともに、各ブレード部材49の先端側が吸込口15の開口面よりも上方に位置している。また、回転体22は、回転ブラシ23の上側に位置することで吸込口15に対して回転ブラシ23の背後に隠れ、この吸込口15から殆ど露出しないように配置されている。
【００３３】
さらに、各軸受50により軸支された状態で、回転ブラシ23の各ブラシ部材48およびブレード部材49の回転軌道C2，C3のそれぞれは、回転体22の清掃部材42の回転軌道C1と交差し、かつ、回転軌道C2は回転体回転軸41の外周面と略交差している。換言すれば、回転体22の清掃部材42は、回転体22の回転によって回転ブラシ23の各ブラシ部材48および各ブレード部材49と当接し、回転体22の回転体回転軸41が各ブラシ部材48と当接するように構成され、これら当接によって、回転体22が回転ブラシ23を回転させるように構成されている。なお、本実施の形態において、回転体22の清掃部材42の先端部は、回転ブラシ23のブラシ台47に対して離間されており、回転体22の回転時にブラシ台47には接触しないように構成されているものの、清掃部材42の先端部をブラシ台47に接触させるように構成してもよい。
【００３４】
接続管12は、ケース体11内に区画され吸込口15および前側吸込口18に連通する空間部55と連通している。また、この接続管12は、ケース体11に対して周方向などに回動可能に連結されている。
【００３５】
次に、上記第１の実施の形態の動作を説明する。
【００３６】
まず、作業者は、掃除機本体１の本体吸込口３に、ホース体４、延長管８および床ブラシ９を順次連通接続する。
【００３７】
さらに、作業者が、掃除機本体１から電源コードを引き出して図示しないコンセントに接続した後、把持部６を把持して所定の設定ボタン７を操作すると、この設定ボタン７により設定された動作モードに応じて電動送風機２が駆動される。
【００３８】
そして、作業者は、把持部６を把持して図３に示すように床面上で床ブラシ９を前後に走行させ、吸込口15および前側吸込口18から塵埃を空気とともに吸い込む。
【００３９】
この掃除作業において、例えばフローリングなどの比較的硬い床面Ｆを掃除する場合には、床ブラシ９の回転ブラシ23の各ブラシ部材48が床面Ｆに当接し、例えば毛足の長い絨毯などの床面Ｆを掃除する場合には、床ブラシ９が床面Ｆに対して沈み込むことで、回転ブラシ23の各ブラシ部材48が床面Ｆに入り込み、ブレード部材49が床面Ｆに接触する。
【００４０】
これらの状態で、作業者が所定の設定ボタン７を操作すると、モータ制御回路がモータ21の駆動を制御してこのモータ21を図２中の反時計回り方向、すなわち床ブラシ９の後方向へと回転させる。
【００４１】
すると、このモータ21のモータ回転軸21aに取り付けられた出力プーリ35と回転体22の一方のプーリ43との間に巻き掛けられたベルト36によって、モータ21の回転が回転体22へと伝達され、この回転体22が図２中の反時計回り方向に回転駆動される。
【００４２】
この回転体22の回転により、この回転体22の清掃部材42が回転ブラシ23の各部材48，49に当接することで、回転ブラシ23が回転体22の回転方向と反対方向、すなわち図２中の時計回り方向、換言すれば床ブラシ９の前方向へと回転する。
【００４３】
そして、回転ブラシ23の回転により、フローリングなどの掃除の場合には、各ブラシ部材48が床面Ｆを磨くように掃除し、毛足の長い絨毯などの掃除の場合には、床面Ｆに入り込んだ塵埃が各ブラシ部材48と各ブレード部材49によって掻き出され、吸込口15および前側吸込口18から空間部55を介して接続管12側へと吸い込まれる。
【００４４】
さらに、各ブラシ部材48や各ブレード部材49に付着した塵埃は、回転体22の清掃部材42との当接によってそれぞれ掻き取られる。
【００４５】
また、壁際などの掃除の際には、作業者が床ブラシ９の前側を壁に押し当てることにより、前カバー19が軸支部31aを中心として後方に回動して後面が回転ブラシ23の各ブラシ部材48などに接触し、回転ブラシ23が相対的に床ブラシ９の前側吸込口18から前方に突出して、この相対的に突出した回転ブラシ23の回転によって、壁際などの塵埃を前側吸込口18から吸い込む。
【００４６】
床ブラシ９から空気とともに吸い込んだ塵埃は、延長管８およびホース体４を介して、本体吸込口３から集塵部へと運ばれ、この集塵部に捕集され、この塵埃が捕集された空気が電動送風機２を介して図示しない排気孔から掃除機本体１の外部へと排気される。
【００４７】
上述したように、上記第１の実施の形態では、モータ21により回転させた回転体22の清掃部材42を接触させることで回転ブラシ23を回転させる構成とした。
【００４８】
すなわち、モータにより回転ブラシを直接回転させる従来の構成では、モータから回転ブラシへと回転を伝達するためのベルトやギヤなどの機構を回転ブラシの側方などに要し、ケース体の幅寸法に対してこの機構の分、幅寸法を取らなければならなくなり、このような機構の部分に吸込口を設けることができないので、この機構に対向する位置に掃除残りが生じるのに対して、本実施の形態によれば、回転ブラシ23の軸方向の両端部側方にモータ21の動力を回転ブラシ23へと伝達するための各種機構を要さず、回転ブラシ23をケース体11の略全幅に亘って形成でき、部品点数を増加させることなく掃除残りを低減できる。
【００４９】
換言すれば、本実施の形態は、回転ブラシ23の両端部の軸受50，50(幅部53，53)の部分は僅かに形成されるものの、上記機構の分だけ従来の構成では吸い込むことができなかった部分の塵埃を、吸い込むことが可能になり、掃除残りが殆どないようにできる。
【００５０】
特に、回転ブラシ23の軸方向寸法をケース体11の略全幅としているため、床面Ｆの角部などを掃除する際にも、この角部の塵埃をも吸込口15および前側吸込口18から吸い込むことが可能となり、床面Ｆの隅々まで掃除が可能になる。
【００５１】
また、回転ブラシ23は、ブラシ台47に対して、ブラシ部材48と、このブラシ部材48よりもブラシ台47からの突出量が小さいブレード部材49とを突出させ、モータ21によって回転される回転体22の清掃部材42にブラシ部材48よりも硬質のブレード部材49を当接させることで回転することにより、回転体22の回転を回転ブラシ23に確実に伝えることができ、回転ブラシ23を確実に回転させることができる。
【００５２】
さらに、回転ブラシ23は、各ブラシ部材48が床ブラシ９の前進方向へと回転して床面Ｆと接触する、換言すれば、各ブラシ部材48が床ブラシ９の前進方向に食い込むように回転することにより、床ブラシ９を前進させた際に、回転ブラシ23の回転の相対速度、すなわち各ブラシ部材48の床面Ｆへの相対接触速度が向上するため、塵埃の除去効率を向上できるとともに、前方の塵埃を回転ブラシ23が巻き込むので、塵埃を前方へと弾き飛ばすことなく確実に吸い込むことができ、かつ、床ブラシ９の前進時に、回転している回転ブラシ23がこの前進を補助するので、走行性を向上できる。
【００５３】
そして、回転体22は、回転体回転軸41に対して複数の清掃部材42を突出させてこれら清掃部材42を回転ブラシ23の各ブラシ部材48および各ブレード部材49に当接可能とすることにより、回転体22の回転によって各清掃部材42が各ブラシ部材48および各ブレード部材49と当接することで回転ブラシ23の各ブラシ部材48や各ブレード部材49に付着した塵埃を各清掃部材42により除去でき、回転ブラシ23を常時クリーニングできる。
【００５４】
また、回転体22は、モータ21によって回転させるので充分な回転力が得られ、例えば床ブラシ９の回転ブラシ23を床面Ｆに押し付けるように掃除しても、回転ブラシ23の回転が弱くなることがなく、確実に床面Ｆを掃除できる。
【００５５】
なお、上記第１の実施の形態において、回転体22は、モータ21により回転されて回転ブラシ23を回転させることが可能であれば、任意の構成とすることが可能である。
【００５６】
次に、第２の実施の形態を図４および図５を参照して説明する。なお、上記第１の実施の形態と同様の構成および作用については、同一符号を付してその説明を省略する。
【００５７】
この第２の実施の形態は、上記第１の実施の形態の回転体22に代えて、回転体としての補助回転清掃体である補助回転ブラシ61を設けたものである。
【００５８】
この補助回転ブラシ61は、回転体軸部としての補助ブラシ台63と、この補助ブラシ台63の外周部から突出する複数、例えば４つの補助清掃部材64とを備え、補助ブラシ台63の両端部にプーリ65がそれぞれ取り付けられ、これらプーリ65が軸受66に回動可能に軸支されて、回転ブラシ23の後方で、かつ、吸込口15に臨む、すなわち吸込口15から露出する位置にて回転可能となっている。
【００５９】
補助ブラシ台63は、例えば金属、あるいは合成樹脂などにより形成され、軸方向寸法および径寸法がブラシ台47よりも小さく設定されている。
【００６０】
各補助清掃部材64は、例えば可撓性を有するブラシ毛64aを多数植毛して構成され、補助ブラシ台63に対して径方向に突出するとともに、この補助ブラシ台63の軸方向に壁状に連続して形成されている。また、各補助清掃部材64は、補助ブラシ台63の周方向に互いに略等角度に離間されている。さらに、各補助清掃部材64の補助ブラシ台63からの突出量は、それぞれ略等しい。このため、各補助清掃部材64は、補助回転ブラシ61の回転により先端部が側面視で補助ブラシ台63を中心とする仮想円である回転軌道C4上を回転するように構成されている。この回転軌道C4は、回転ブラシ23の回転軌道C2，C3および床面Ｆと交差する。したがって、各補助清掃部材64は、補助回転ブラシ61の回転により先端側が回転ブラシ23の各部材48，49および床面Ｆにそれぞれ接触する。
【００６１】
なお、本実施の形態において、各補助清掃部材64は、周方向に所定角度、例えば１８０°捻られているものの、補助ブラシ台63に沿って直線状に配置して周方向に捻らないように形成してもよい。また、各補助清掃部材64は、補助ブラシ台63と別体に形成してこの補助ブラシ台63に取り付けてもよいし、この補助ブラシ台63と一体的に形成してもよい。
【００６２】
各プーリ65は、補助ブラシ台63の両端部に一体的に取り付けられており、一方のプーリ65(図４中の右側のプーリ65)の外周面には、上記ベルト36が巻き掛けられる図示しないギヤ部が形成されている。
【００６３】
軸受66は、ケース体11内の吸込口15の後側寄りの上方にて上ケース17の下面から下方に突出して形成されている。これら軸受66に補助ブラシ台63の両端部が軸支された状態で、補助回転ブラシ61は、吸込口15の後部に臨んで、すなわち吸込口15の後部から露出して位置し、各補助清掃部材64の先端側が吸込口15の開口面よりも僅かに外方に突出している。すなわち、補助回転ブラシ61の各補助清掃部材64は、下端部の位置が、回転ブラシ23の各ブレード部材49の下端部の位置と略等しく設定されている。
【００６４】
この掃除作業において、例えばフローリングなどの比較的硬い床面Ｆを掃除する場合には、床ブラシ９の回転ブラシ23の各ブラシ部材48が床面Ｆに当接し、例えば床面Ｆが毛足の長い絨毯などの場合には、床ブラシ９が床面Ｆに対して沈み込むことで、回転ブラシ23の各ブラシ部材48がそれぞれ床面Ｆに入り込み、回転ブラシ23の各ブレード部材49および補助回転ブラシ61の各補助清掃部材64が床面Ｆに接触する。
【００６５】
この状態で、作業者が所定の設定ボタン７を操作すると、モータ制御回路がモータ21の駆動を制御してこのモータ21を図５中の反時計回り方向、すなわち床ブラシ９の後方向へと回転させる。
【００６６】
すると、このモータ21のモータ回転軸21aに取り付けられた出力プーリ35と補助回転ブラシ61の一方のプーリ65との間に巻き掛けられたベルト36によって、モータ21の回転が補助回転ブラシ61へと伝達され、この補助回転ブラシ61が図５中の反時計回り方向に回転駆動される。
【００６７】
この補助回転ブラシ61の回転により、この補助回転ブラシ61の補助清掃部材64が回転ブラシ23の各部材48，49に当接することで、回転ブラシ23が補助回転ブラシ61の回転方向と反対方向、すなわち図５中の時計回り方向、換言すれば床ブラシ９の前方向へと回転する。
【００６８】
そして、これら回転ブラシ61，23の回転により、床面Ｆの塵埃が各部材64，48，49によって掻き出され、吸込口15および前側吸込口18から空間部55を介して接続管12側へと吸い込まれる。
【００６９】
さらに、各部材48，49，64に付着した塵埃は、これら部材48，49，64同士の当接によりそれぞれ掻き取られる。
【００７０】
このように、モータ21により回転させた回転体である補助回転ブラシ61の補助清掃部材64を接触させることで回転ブラシ23を回転させるなど、上記第１の実施の形態と同様の構成を有することで、上記第１の実施の形態と同様の作用効果を奏することが可能になる。
【００７１】
また、回転ブラシ23を回転させるための回転体を、補助回転ブラシ61としたことにより、回転ブラシ23による床面Ｆの掃除だけでなく、補助回転ブラシ61によっても床面Ｆの掃除ができ、掃除性をより向上できる。
【００７２】
さらに、回転ブラシ23および補助回転ブラシ61の回転方向を、下側が互いに巻き込むように、換言すれば、下側が吸込口15の内側へと向かうように設定することにより、床ブラシ９の前進時および後退時のいずれの場合でも、これら回転ブラシ23および補助回転ブラシ61によって塵埃を床ブラシ９の外方に弾き飛ばすことがなく、塵埃を確実に取ることができる。
【００７３】
しかも、回転ブラシ23の各部材48，49と補助回転ブラシ61の各補助清掃部材64とを互いに当接可能とすることにより、補助回転ブラシ61の回転により各補助清掃部材64が回転ブラシ23の各部材48，49と当接することで、これら部材48，49，64に付着した塵埃が、互いの当接によって除去されて床ブラシ９の空間部55側へと弾かれるので、これら部材48，49，64から除去した塵埃をも確実に吸い込むことができる。
【００７４】
そして、回転ブラシ23の各ブラシ部材48だけでなく、各ブラシ部材48よりも硬質の各ブレード部材49を床面Ｆに接触可能とすることにより、回転ブラシ23を床ブラシ９の前方向へと回転させることで、床ブラシ９の前進時に、回転している回転ブラシ23がこの前進を、より確実に補助するので、走行性を向上できる。
【００７５】
また、補助回転ブラシ61の各補助清掃部材64を、その先端部が毛足の長い絨毯などの床面Ｆに僅かに接触するように構成することで、補助回転ブラシ61の回転により、回転ブラシ23の各ブレード部材49の下端部の床面Ｆへの接触方向と反対方向に向けて各補助清掃部材64が床面Ｆに接触しても、その接触抵抗は僅かであり、回転ブラシ23の各ブレード部材49による上記床ブラシ９の前進の補助の妨げとなることがない。
【００７６】
なお、上記第２の実施の形態において、補助回転ブラシ61は、補助清掃部材64を補助ブラシ台63から突出させているが、例えば２種類以上の異なる部材を、互いに異なる突出量や互いに等しい突出量で突出させてもよい。
【００７７】
また、上記各実施の形態において、回転体22、あるいは補助回転ブラシ61は、ベルト36に代えてギヤ列などによりモータ21と接続して回動させてもよい。
【００７８】
さらに、回転ブラシ23は、ブラシ部材48とブレード部材49とをブラシ台47から突出させているが、例えば３種類以上の異なる部材を互いに異なる突出量や互いに等しい突出量で突出させたり、あるいは１種類の部材のみを互いに異なる突出量や互いに等しい突出量で複数突出させたりしてもよい。
【００７９】
そして、電気掃除機の細部は、上記構成に限定されるものではない。
【図面の簡単な説明】
【００８０】
【図１】本発明の第１の実施の形態の吸込口体を示す底面図である。
【図２】同上吸込口体を示す縦断面図である。
【図３】同上吸込口体を備えた電気掃除機を示す斜視図である。
【図４】本発明の第２の実施の形態の吸込口体を示す底面図である。
【図５】同上吸込口体を示す縦断面図である。
【符号の説明】
【００８１】
１    掃除機本体
２    電動送風機
９    吸込口体としての床ブラシ
11    吸込口体本体としてのケース体
21    駆動手段としてのモータ
22    回転体
23    回転清掃体としての回転ブラシ
47    軸部としてのブラシ台
48    第１清掃部材としてのブラシ部材
49    第２清掃部材としてのブレード部材
61    回転体としての補助回転清掃体である補助回転ブラシ
Ｆ    被掃除面としての床面
【図１】
2009153876.tif 000003
【図２】
2009153876.tif 000004
【図３】
2009153876.tif 000005
【図４】
2009153876.tif 000006
【図５】
2009153876.tif 000007